(57)【要約】      （修正有）【課題】力を加えて無理に光ディスクを取り出す必要がないのみならず、ユーザーの手が光ディスクの読み書き表面に触れて読み取り表面が摩損するようなこともない光ディスクの位置決め構造を提供する。【解決手段】ケース体１の中間部分に位置決め部２があり、位置決め部の内側に台座２１があり、台座に押しボタン２２があり、押しボタンの周縁から外へ向かって一対の垂直方向活動片２３および一対の水平方向繋止片２４がそれぞれ延伸され、活動片および繋止片の押しボタンに近いところに位置決め壁２５が延伸され、且つ繋止片の位置決め壁外縁にそれぞれ繋止ブロック２５１が設置され、一つ一つの位置決め壁の間には位置決め柱２６が設けられ、位置決め柱の高さは押しボタンより高くしてある。【選択図】図１
0003158698.tif 000002
【実用新案登録請求の範囲】
【請求項１】
光ディスクケースの光ディスク位置決め構造であって、
ケース体を含み、
前記ケース体には、二つの収容スペースがあり、且つ少なくとも一つの収容スペースの中に位置決め部があり、前記位置決め部には、台座と、押しボタンと、を含み、
前記台座の垂直方向及び水平方向にそれぞれオープンスロットが開設され、
前記オープンスロットは台座の外へ延伸されており、
前記押しボタンは、台座の中央に近いところに形成され、且つ押しボタン垂直方向の両側にそれぞれ活動片が枢接され、
前記活動片は垂直方向のオープンスロットの中に位置し、
前記活動片の中間部分と台座の間に連接段が設置されており、
押しボタンの水平方向の両側にそれぞれ繋止片を連接し、
前記繋止片は、水平方向のオープンスロットの中に位置しており、前記繋止片の押しボタンから遠く離れた一端は台座と連接していて、
前記活動片と繋止片の押しボタンに近いところに位置決め壁が延伸され、
前記繋止片の位置決め壁外縁にそれぞれ繋止ブロックがある、ことを特徴とする光ディスクケースの光ディスク位置決め構造。
【請求項２】
前記台座は、突起状態を呈することを特徴とする請求項１に記載の光ディスクケースの光ディスク位置決め構造。
【請求項３】
位置決め柱を含み、前記位置決め柱は、一つ一つの位置決め壁の間に位置し、又、前記位置決め壁の高さは、誤動作によって光ディスクが位置決め部から離脱することを避けるため、押しボタンより高くしてあることを特徴とする請求項１に記載の光ディスクケースの光ディスク位置決め構造。
【請求項４】
前記活動片の活動側には頂段があり、光ディスクをエジェクトし易いようにしたことを特徴とする請求項１に記載の光ディスクケースの光ディスク位置決め構造。
【考案の詳細な説明】
【技術分野】
【０００１】
本考案は、各種光ディスクの収納及び固定に応用され、押しボタン方式によって光ディスクを繋止ブロックから離脱させ、更に活動片の前縁によって光ディスクをエジェクトさせることによって、光ディスクを取り出すことができる光ディスクケースの光ディスク位置決め構造に関するものである。
【背景技術】
【０００２】
デジタル時代の到来に伴って、デジタルデータのバックアップ及び保存は益々重視されている。デジタルデータの保存は主としてデータを光ディスクに書き込むことによってなされるので、光ディスクケースの収納及び固定が重要な課題となっている。又、理想的な光ディスクケースはデジタル商品の商品価値に絶対プラスとなる効果がある。
【０００３】
しかしながら、従来の光ディスク位置決め装置には尚以下のような欠点がある。
＜１＞押しボタンのない設計では、スムーズ且つ簡単に取り出す便利さがない。
＜２＞位置決め壁及び位置決め柱のない設計では、光ディスクは外力あるいはその他不可抗力の要素によって、光ディスクが揺れて動いて固定座から離脱し、光ディスクに傷が付いたり、場合によっては破壊され、データ保存の目的を達成できなくなる可能性がある。
＜３＞自動エジェクトのない設計では、ユーザーは手で光ディスクを取り出さなくてはならず、手が光ディスクに触れて、光ディスクにかすり傷がついたり、破壊されたりして、光ディスクのデータ保存機能に影響する可能性がある。
これによって、分かるように、上述従来の光ディスクケースには、尚幾多の欠点があり、よい設計とは言いがたく、改良がまたれていた。
【０００４】
本考案は上述した従来技術の欠点に鑑みて成されたもので、長年苦心研鑽の末、ついに本件光ディスクケースの光ディスク位置決め構造の研究開発に成功した。
【考案の概要】
【考案が解決しようとする課題】
【０００５】
本考案の主要な目的は、光ディスクケースの光ディスク位置決め構造、特に、押しボタン式の設計によって、光ディスクを繋止ブロックから離脱させると共に、エジェクトさせることによって、光ディスクを取り出す目的を達成出来る光ディスクの位置決め構造を提供することにある。
本考案のもう一つの目的は、光ディスクケースの光ディスク位置決め構造、特に、自動エジェクトのメカニズムによって、ユーザーが光ディスクを取り出すとき、力を加えて無理に光ディスクを取り出す必要がないのみならず、ユーザーの手が光ディスクの読み書き表面に触れて読み取り表面が摩損するようなこともない光ディスクの位置決め構造を提供することにある。
【課題を解決するための手段】
【０００６】
上述した目的を達成できる光ディスクケースの光ディスク位置決め構造は、主として、ケース体を含み、前記ケース体の中間部分に位置決め部があり、前記位置決め部の内側に突起台座があり、前記台座の上に押しボタンがあり、前記押しボタンの垂直及び水平方向にほぼ十字型をなすオープンスロットがあり、押しボタンの垂直方向の両側にそれぞれ活動片が枢接され、前記活動片の押しボタンから遠く離れた別の一端は活動側であり、且つ活動片の中央に近いところが台座と連接している。押しボタンの水平方向の両側にはそれぞれ繋止片が連接され、前記繋止片の押しボタンから遠く離れた別の一端は台座と連接し、且つ活動片及び繋止片の押しボタンに近いところにそれぞれ位置決め壁が延伸され、前記繋止片の位置決め壁の上にはそれぞれ繋止ブロックを設置し、且つ位置決め壁の間に位置決め柱が設置されている。前記位置決め柱の高さは、押しボタンの誤動作を避けるため、押しボタンより高くしてある。光ディスクを位置決めするときは、光ディスクの中央ホールを位置決め壁の外側表面にセットすることによって、光ディスクの中央ホールが繋止片の位置決め壁の繋止ブロックによって繋止され、光ディスクの位置決め動作を完成する。若し光ディスクを取り出す場合は、押しボタンを利用して、繋止片及び活動片の位置決め壁をやや内側へ引っ込め、繋止片の繋止ブロックによって光ディスクの中央ホールから離脱させる。一方、活動片は、中段部分が台座と相互連接している影響を受けて、活動側が上へ反りあがって光ディスクをエジェクトさせ、ユーザーは容易く光ディスクを取り出すことが出来る。
【考案の効果】
【０００７】
本考案に係る光ディスクケースの位置決め構造は、その他従来の技術に比べ、更に下記のような長所がある、
＜１＞本考案は、押しボタンを利用する設計で、光ディスクを自動的に取り出便利さがある。
＜２＞本考案には、活動片の設計があり、光ディスクを自動的にエジェクトさせる便利さがある。
＜３＞本考案には、位置決め壁と位置決め柱の保護があり、光ディスクが外力によって位置決め部から離脱することがない。
＜４＞本考案には、繋止片の設計があり、光ディスクの位置決めと固定を強化することが出来る。
【図面の簡単な説明】
【０００８】
【図１】本考案に係る光ディスクケースの光ディスク位置決め構造の斜視図である。
【図２】本考案に係る光ディスクケースの光ディスク位置決め構造の底面図である。
【図３】本考案に係る光ディスクケースの光ディスク位置決め構造の背面図である。
【図４Ａ】本考案に係る光ディスクケースの光ディスク位置決め構造の光  ディスクを入れた実施例断面図である。
【図４Ｂ】本考案に係る光ディスクケースの光ディスク位置決め構造の光  ディスクを入れた実施例断面図である。
【図５Ａ】本考案に係る光ディスクケースの光ディスク位置決め構造の光ディスクを取り出した実施例断面図である。
【図５Ｂ】本考案に係る光ディスクケースの光ディスク位置決め構造の光ディスクを取り出した実施例断面図である。
【図５Ｃ】本考案に係る光ディスクケースの光ディスク位置決め構造の光ディスクを取り出した実施例断面図である。
【考案を実施するための形態】
【０００９】
以降の詳細な説明は、本考案の実行可能な実施例の具体的な説明である。但し、実施例の記載は本請求の範囲を制限するものではなく、凡そ本考案の技芸精神を逸脱せずになされる等価の実施、或いは変更も全て本考案に含まれるものとする。
【実施例】
【００１０】
図１、図２及び図３は、本考案に係る光ディスクケースの光ディスク位置決め構造の各図面である。
【００１１】
光ディスクケースは主として、ケース体１を含む。前記ケース体１には二つの収容スペース１１がある。ケース体１には少なくとも一つの収容スペース１１の中に位置決め部２が設けてある。前記位置決め部２には、台座２１と、押しボタン２２が含まれる。
【００１２】
前記台座２１は、突起状態を呈する。その水平及び垂直部位にはそれぞれオープンスロット２１１を開設する。前記オープンスロット２１１は、台座２１の外へ延伸している。
【００１３】
前記押しボタン２２は、台座２１の中央に近いところに形成され、且つ押しボタン２２垂直方向の両側にそれぞれ活動片２３を連接してある。
【００１４】
前記活動片２３は、垂直方向のオープンスロット２１１の中に位置し、押しボタン２２から遠く離れた別の一端の縁が活動側となっている。
【００１５】
活動側の前縁表面に頂段２３１が設置され、且つ活動片２３の中段部分と台座２１の間に連接段２７が設置されている。
【００１６】
一方、押しボタン２２水平方向の両側にそれぞれ繋止片２４が設置されている。
前記繋止片２４は、水平オープンスロット２１１の中に設置される。前記繋止片２４の押しボタンから遠くはなれた別の一端は、台座２１と相互連接している。
【００１７】
又、前記活動片２３と繋止片２４の押しボタン２２に近い端面にそれぞれ位置決め壁２５が延伸され、前記繋止片２４の位置決め壁２５の外縁にそれぞれ繋止ブロック２５１がある。
【００１８】
又、各位置決め壁２５の間には位置決め柱２６が設けられ、前記位置決め柱２６の高さは押しボタン２２より高くしてある。
【００１９】
図４Ａ，４Ｂは、本考案に係る光ディスクケースの光ディスク位置決め構造の断面図及び光ディスクを入れる場合の好ましい実施例図である。
【００２０】
ユーザーが光ディスク３を光ディスクケースの中に位置決めする場合、光ディスク３の中央ホール３１を位置決め壁２５の外側表面にセット（図４Ａに示すように）する。光ディスク３を軽く押すと、活動片２３と繋止片２４の押しボタン２２に近い端面が弾力的に湾曲し、位置決め壁２５はやや下方へ押されて内縮し、且つ水平方向に位置する位置決め壁２５の繋止ブロック２５１が光ディスク３の中央ホール３１を繋止する。
【００２１】
繋止ブロック２５１が光ディスク３を繋止すると、活動片２３及び繋止片２４の押しボタン２２に近い端面が元の位置を回復し、同時に位置決め壁２５の組合せ体も元の位置を回復し、繋止ブロック２５１の安定繋止効果を強化する。
【００２２】
更に水平方向の繋止片２４も固定性を強化でき、光ディスク３をしっかり位置決め部２の上に固定させ、光ディスク３の位置決め動作を完成する（図４Ｂに示すように）。
【００２３】
尚、前記位置決め柱２６の高さは前記押しボタン２２より高く、誤動作によって光ディスク３が位置決め部２から離脱して位置決め効果に影響しないようにしてある。
【００２４】
図５Ａ〜５Ｃは、本考案に係る光ディスクケースの光ディスク位置決め構造の断面図及び光ディスクを取り出す場合の好ましい実施例図である。
【００２５】
ユーザーが光ディスク３を取り出すときは、押しボタンを下方へ押しつけ、活動片２３と繋止片２４の押しボタン２２に近い端面の弾力的湾曲によって、位置決め壁２５がやや内縮し、光ディスク３は水平方向の位置決め壁２５の上の繋止ブロック２５１の繋止から離脱（図５Ａに示すように）する。
【００２６】
活動片２３は連接段２７のたすけを借りて、活動片２３の押しボタンから遠く離れた一端面の活動側をシーソーのような動作で上へ押し上げると共に、頂段２３１の設計によって光ディスク３をエジェクトさせて（図５Ｂに示すように）、光ディスク３を位置決め部２から離脱させ、且つ容易に光ディスクを取り出すことが出来る（図５Ｃに示すように）。
【符号の説明】
【００２７】
１      ケース体
１１    収容スペース
２      位置決め部
２１    台座
２１１  オープンスロット
２２    押しボタン
２３    活動片
２３１  頂段  
２４    繋止片
２５    位置決め壁
２５１  繋止ブロック
２６    位置決め柱
２７    連接段
３      光ディスク
３１    光ディスクの中央ホール
【図１】
0003158698.tif 000003
【図２】
0003158698.tif 000004
【図３】
0003158698.tif 000005
【図４Ａ】
0003158698.tif 000006
【図４Ｂ】
0003158698.tif 000007
【図５Ａ】
0003158698.tif 000008
【図５Ｂ】
0003158698.tif 000009
【図５Ｃ】
0003158698.tif 000010